(57)【要約】【課題】  ３番ロスを防止することができて、かつ藁屑の詰まりを防止することのできる脱穀装置を低コストで実現する。【解決手段】  遮蔽部材２０の上端部の軸心Ｐ周りに、遮蔽部材２０を回動自在に支持することによって、唐箕１０から供給される選別風の風量に応じて遮蔽部材２０が揺動するように脱穀装置１を構成した。【選択図】図２
2008017708.tif 000002
【特許請求の範囲】
【請求項１】
扱室の下方に揺動選別装置を備え、前記揺動選別装置の処理物の搬送上手側の下方に風量調整可能な唐箕を備えて、処理物の搬送下手側の排塵口に向って選別風を供給するように構成してある脱穀装置であって、
前記排塵口を遮蔽可能な遮蔽部材を備え、
前記遮蔽部材の上端部の軸心周りに、前記遮蔽部材を回動自在に支持することによって、前記唐箕から供給される選別風の風量に応じて前記遮蔽部材が揺動するように構成してある脱穀装置。
【請求項２】
前記扱室の処理物の搬送下手側に排塵ファンを備え、
前記排塵ファンの下方で、前記排塵ファンと前記揺動選別装置との間に、前記遮蔽部材を備える請求項１記載の脱穀装置。
【発明の詳細な説明】
【技術分野】
【０００１】
本発明は、排塵口を遮蔽可能な遮蔽部材を備えた脱穀装置に関する。
【背景技術】
【０００２】
従来の脱穀装置においては、例えば、特許文献１に開示されているように、排塵口付近に設けた遮蔽部材を、連係ワイヤを介して唐箕と連係することによって、唐箕の風量と遮蔽部材の開閉を連動させて（唐箕の風量が減少すると遮蔽部材が閉じて）、穀粒が排塵口から排出されることを防止するものや、特許文献２に開示されているように、排塵口付近に設けた遮蔽部材を連係ロッドやカムを介して搬送装置と連係することによって、脱穀装置に供給される穀稈の量と遮蔽部材の開閉を連動させて（穀稈の量が減少すると遮蔽部材が閉じて）、穀粒が排塵口から排出されることを防止するものが知られている。
【０００３】
【特許文献１】特開平８−２５２０２４号公報（図３）
【特許文献２】特開２００２−２１８８３６号公報（図３）
【発明の開示】
【発明が解決しようとする課題】
【０００４】
特許文献１及び特許文献２に開示されているように、連係ワイヤや連係ロッドを介して、排塵口付近に設けた遮蔽部材を唐箕や搬送装置と連動させることによって遮蔽部材を開閉して、処理物の搬送上手側から供給された穀粒を含む藁屑を遮蔽部材に当てて穀粒を揺動選別装置内に導くことによって、穀粒が排塵口から排出される、いわゆる３番ロスを防止することができる。
しかし、連係ワイヤや連係ロッドを介して唐箕や搬送装置と連動させると、唐箕の風量や脱穀装置に供給される穀稈の量に応じて、遮蔽部材を開閉することができて排塵口を遮蔽することができる反面、脱穀装置に供給される穀稈の量が急激に増加すると、その急激な変化に遮蔽部材の動作が迅速に対応できずに遮蔽部材が閉じた状態で大量の藁屑が供給されて、遮蔽部材付近で藁屑が詰まって、円滑な脱穀作業を行う妨げになるといった問題があった。
また、連係ワイヤや連係ロッドを介して唐箕や搬送装置と連動させて遮蔽部材を開閉させる構造では、その構造や制御装置が複雑で、製造コストがアップする一因となっていた。
本発明は、３番ロスを防止することができて、かつ、藁屑の詰まりを防止することのできる脱穀装置を低コストで実現することを目的としている。
【課題を解決するための手段】
【０００５】
［Ｉ］
（構成）
本発明の第１特徴は、扱室の下方に揺動選別装置を備え、前記揺動選別装置の処理物の搬送上手側の下方に風量調整可能な唐箕を備えて、処理物の搬送下手側の排塵口に向って選別風を供給するように構成してある脱穀装置において次のように構成することにある。
前記排塵口を遮蔽可能な遮蔽部材を備え、
前記遮蔽部材の上端部の軸心周りに、前記遮蔽部材を回動自在に支持することによって、前記唐箕から供給される選別風の風量に応じて前記遮蔽部材が揺動するように構成してある。
【０００６】
（作用）
本発明の第１特徴によると、唐箕から供給される選別風の風量が多い場合には、選別風の風圧を受けて、遮蔽部材がこの遮蔽部材の上端部の軸心周りに揺動して、排塵口が開放される。また、唐箕から供給される選別風の風量が少ない場合には、選別風の風圧に抗して遮蔽部材の自重が働いて、遮蔽部材がこの遮蔽部材の上端部の軸心周りに揺動して、排塵口が遮蔽される。すなわち、唐箕から供給される選別風の風量に応じて遮蔽部材を開閉することができて、排塵口を遮蔽することができる。
【０００７】
脱穀装置に供給される穀稈の量が急激に増加して、遮蔽部材が遮蔽された状態で大量の藁屑が遮蔽部材付近に供給されても、遮蔽部材がこの遮蔽部材の上端部の軸心周りに揺動して、排塵口が開放される。すなわち、脱穀装置に供給される穀稈の急激な変化に迅速に対応できる遮蔽部材を実現できる。
【０００８】
唐箕から供給される選別風の風量に応じて排塵口を遮蔽することができる遮蔽部材を、遮蔽部材の上端部の軸心周りに回動自在に支持することによって実現できるため、排塵口を遮蔽する遮蔽部材の構造を簡素に構成することができる。
【０００９】
（発明の効果）
本発明の第１特徴によると、唐箕から供給される選別風の風量に応じて遮蔽部材を開閉することができて、排塵口を遮蔽することができるため、処理物の搬送上手側から穀粒を含む藁屑が供給されて遮蔽部材に当たると、比重の重い穀粒は揺動選別装置内に落下し、比重の軽い藁屑は選別風に乗って排塵口に導かれる。そのため、穀粒が排塵口から排出される３番ロスを防止することができる。
【００１０】
脱穀装置に供給される穀稈の急激な変化に迅速に対応できる遮蔽部材を実現できるため、遮蔽部材付近で藁屑が詰まることを防止することができ、円滑な脱穀作業を行うことができて、脱穀作業の作業性が向上する。
【００１１】
排塵口を遮蔽する遮蔽部材の構造を簡素に構成することができるため、脱穀装置の製造コストを削減することができる。
【００１２】
［ＩＩ］
（構成）
本発明の第２特徴は、本発明の第１特徴の脱穀装置において次のように構成することにある。
前記扱室の処理物の搬送下手側に排塵ファンを備え、
前記排塵ファンの下方で、前記排塵ファンと前記揺動選別装置との間に、前記遮蔽部材を備える。
【００１３】
（作用）
本発明の第２特徴によると、本発明の第１特徴と同様に前項［Ｉ］に記載の「作用」を備えており、これに加えて以下のような「作用」を備えている。
【００１４】
扱室の処理物の搬送下手側に排塵ファンを備えた脱穀装置においては、その排塵ファンの下方を通って、穀粒を含む藁屑が通過する。
【００１５】
本発明の第２特徴によれば、排塵ファンの下方で、排塵ファンと揺動選別装置との間に、遮蔽部材を備えることにより、穀粒を含む藁屑が通過する位置に遮蔽部材を配置することができる。
【００１６】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、穀粒を含む藁屑が通過する位置に遮蔽部材を配置することができるため、３番ロスを防止することができる適切な位置に遮蔽部材を配置することができる。
【発明を実施するための最良の形態】
【００１７】
図１に、コンバインに搭載された脱穀装置１を示している。なお、この発明を実施するための最良の形態においては、脱穀装置１をコンバインに搭載した例を示すため、図１及び図２における左方が処理物の搬送上手側に相当し、図１及び図２における右方が処理物の搬送下手側に相当する。以下の説明においては、処理物の搬送上手側を前方と、処理物の搬送下手側を後方と表示する。
【００１８】
この脱穀装置１は、その上部側に扱室Ａ、中間部側に揺動選別装置Ｂ、下部側に回収装置Ｃを配設している。脱穀装置１には、刈取処理された穀稈をフィードチェーン２で挟持搬送しながら扱処理する扱胴３を扱室Ａに軸架するとともに、扱処理された処理物を漏下させる受網５を扱胴３の下方側に配設している。
【００１９】
揺動選別装置Ｂには、受網５から漏下した処理物を受け止めるグレンパン６、このグレンパン６の後方に順に位置させたチャフシーブ７及びストローラック８、チャフシーブ７の下方に位置するグレンシーブ９を、前後揺動駆動されるシーブケース１６に架設するとともに、グレンパン６の下方側に風量調整可能な唐箕１０を設けている。
【００２０】
回収装置Ｃには、グレンシーブ９の下方にグレンシーブ９からの漏化物（一番物）を回収して横一側に横送りする一番物搬送スクリュ１１を配設するとともに、グレンシーブ９やチャフシーブ７等からの漏化物（二番物）を回収して横一側に横送りする二番物搬送スクリュ１２を配設している。一番物搬送スクリュ１１と二番物搬送スクリュ１２の間には、二番物搬送スクリュ１２の上方に向って選別風を供給する回転ファン１３が配設されている。
【００２１】
図１に示すように、扱胴３の後方下方に処理胴１７を備え、扱胴３の後端部から排出される処理物をこの処理胴１７によって解し処理し、塵埃から穀粒を取り出すように構成されている。処理胴１７の後方には排塵ファン４が配設され、この排塵ファン４の上側を覆って上側ファンガイド１４が取り付けられている。排塵ファン４の下側を覆って取り付けられた下側ファンガイド１５の下方に後述する遮蔽部材２０が左右方向の軸心Ｐ周りに回動自在に取り付けられており、排塵口２３付近に位置するシーブケース１６の後端には、後述する排塵調節板２４が配設されている。
【００２２】
図２及び図３に示すように、下側ファンガイド１５の下方で脱穀装置１の側壁１８に、回転軸１９が軸心Ｐ周りに回動自在に取り付けられており、この回転軸１９に遮蔽部材２０が取り付けられている。遮蔽部材２０は、本体部２０ａとボス部２０ｂが一体成形されており、このボス部２０ｂに回転軸１９を内嵌させることによって、回転軸１９と一体回動するように構成されている。遮蔽部材２０の先端には、コ字状に成形され先端が後方に向って折り曲げられた複数のピアノ線２１が固定されており、一部の選別風を各ピアノ線２１の間の隙間から後方へ逃がすように構成されている。
【００２３】
遮蔽部材２０は、樹脂製の材料によって成形されており、その重量は１８０ｇ以下に設定されている。このように、遮蔽部材２０を軽量な樹脂によって成形することによって、唐箕１０から後方の排塵口２３に向って送られてきた選別風の風量に応じて遮蔽部材２０が揺動するように構成されている。
【００２４】
具体的に説明すると、唐箕１０の風量を最大にした状態では、遮蔽部材２０の先端に取り付けたピアノ線２１の先端部が下側ファンガイド１５の下面に当接する位置まで揺動して、排塵口２３が開放されるようになっており、この状態から唐箕１０の風量を徐々に弱くしていくと、遮蔽部材２０が徐々に下方へ揺動して、排塵口２３が徐々に遮蔽されるようになっている。唐箕１０の風量がゼロに近くなると、遮蔽部材２０が略垂直に垂れ下がった状態になり、排塵口２３が最も遮蔽した状態になる。
【００２５】
図２に示すように、唐箕１０の風量に応じて遮蔽部材２０が揺動して、排塵口２３を遮蔽することによって、前方から回収装置Ｃで回収できなかった穀粒を含んだ藁屑が供給されると、まず、遮蔽部材２０にこの穀粒と藁屑が当たって、比重の重い穀粒はシーブケース１６内に落下する。比重が軽い藁屑は、遮蔽部材２０に当たっても、唐箕１０から供給される選別風に乗って遮蔽部材２０とシーブケース１６の間を通って後方に導かれる。このように、遮蔽部材２０によって、穀粒をシーブケース１６内に導くことによって、排塵口２３から排出される穀粒の量を減少させることができる。
【００２６】
また、脱穀装置１内に供給される穀稈の量が急激に増加して、遮蔽部材２０が垂れ下がった状態で大量の藁屑が遮蔽部材２０付近に達しても、遮蔽部材２０が藁屑の移動とともに後方に揺動することで、速やかに排塵口２３に向って藁屑を導く。そのため、遮蔽部材２０付近で、藁屑が詰まることを防止できるとともに、遮蔽部材２０の破損を防止することができる。
【００２７】
図２及び図４に示すように、シーブケース１６後端の壁部１６ａの後面側には、排塵調節板２４が上下位置調節可能に取り付けられている。排塵調節板２４は、シーブケース１６に沿う上下方向の固定部２４ａと、この固定部２４ａの上端から斜め後方上方に折り曲げた傾斜部２４ｂを備えた断面形状に成形されており、上端部と下端部を更に折り曲げることによって、長手方向の強度を確保できるように構成されている。このように、斜め後方上方に折り曲げた傾斜部２４ｂを設けることによって、排塵調節板２４をシーブケース１６の上面から多く突出させても、この排塵調節板２４が、藁屑が通過する際の抵抗になり難いようになっている。そのため、排塵調節板２４をシーブケース１６の上方に多く突出させることができ、穀粒を含んだ藁屑が排塵調節板２４に当たる面積を大きく確保することができる。
【００２８】
排塵調節板２４の傾斜部２４ｂには、上向きに開口した複数のスリット２４ｃが、傾斜部２４ｂの全面に亘って設けられている。このスリット２４ｃのスリット幅は、穀粒は通過し難いが藁屑は通過し易いような寸法に設定されている。このスリット幅を変更すれば、藁屑の量や脱穀処理する作物の品種が異なる場合であっても、穀粒が機体に排出されることを防止できる。
【００２９】
シーブケース１６の壁部１６ａの内面側には、シーブケース１６の壁部１６ａに設けた貫通穴（図示せず）を介してボルト２６が固着されており、このボルト２６に、排塵調節板２４を蝶ナット２５で締め付け固定することによって、着脱交換可能に構成されている。排塵調節板２４の固定部２４ａの中央部及び左右両側部には、複数の取付穴２４ｄが上下に加工されており、後方から蝶ナット２５を外して排塵調節板２４を上下に移動させることで、シーブケース１６に対する上下方向の位置を調節できるようになっている。このように、排塵調節板２４を上下に位置調節及び着脱交換可能に構成することによって、藁屑の量や脱穀処理する作物の品種が異なる場合であっても、この排塵調節板２４を調節又は交換することで、穀粒が機外に排出されることを防止できる。
【００３０】
なお、この脱穀装置１では、排塵調節板２４に複数の取付穴２４ｄを加工し上下位置調節可能に構成した例を示したが、上下方向の長穴（図示せず）を加工すれば、微調整することが可能になる。複数の取付穴２４ｄを加工したのは、シーブケース１６の揺動による振動等によって、排塵調節板２４が上下にズレることを防止するためである。
【００３１】
このように排塵調節板２４を構成することによって、穀粒を含んだ藁屑がこの排塵調節板２４の前方から供給されると、穀粒は上述したスリット２４ｃによって通過を妨げられて、シーブケース１６内に落下する。そのため、排塵口２３から排出される穀粒の量を減少させることができる。一方、藁屑は、スリット２４ｃを通過して後方に排出される。
【００３２】
上述したように、遮蔽部材２０と排塵調節板２４は、それぞれ回収装置Ｃで回収されずに排塵口２３付近に達した穀粒をシーブケース１６内に導いて、穀粒が機外に排出されることを防止することができる効果を有するが、遮蔽部材２０と排塵調節板２４を併用することで、その効果が更に期待できる。
【００３３】
具体的に説明すると、図２に示すように、前方から穀粒を含んだ藁屑が供給されると、まず、遮蔽部材２０にこの穀粒と藁屑が当たって、比重の重い穀粒はシーブケース１６内に落下する。比重が軽い藁屑は、遮蔽部材２０に当たっても、唐箕１０から供給される選別風に乗って遮蔽部材２０とシーブケース１６の間を通って後方に導かれる。遮蔽部材２０でシーブケース１６内に導くことのできなかった穀粒は、その自重により斜め後方下方に落下しながら、排塵調節板２４の傾斜部２４ｂに当たって、シーブケース１６に導かれ、藁屑は排塵調節板２４のスリット２４ｃの間を通って機外へ排出される。このように、遮蔽部材２０では回収することのできなかった穀粒が、排塵調節板２４の傾斜部２４ｂに当たって、確実に回収することができるように、遮蔽部材２０及び排塵調節板２４の前後及び上下方向の位置や、遮蔽部材２０及び排塵調節板２４の寸法が設定されている。
【００３４】
［発明の実施の第１別形態］
前述の［発明を実施するための最良の形態］においては、遮蔽部材２０を樹脂製の材料によって成形した例を示したが、同様の機能を果たすものであればアルミや鉄等の金属製の材料を採用してもよく、また、樹脂製や金属製に限らず、例えば、プラスチック製の材料を採用してもよい。
【００３５】
［発明の実施の第２別形態］
前述の［発明を実施するための最良の形態］及び［発明の実施の第１別形態］においては、コンバインに搭載した脱穀装置１に遮蔽部材２０を備えた例を示したが、コンバインに搭載する脱穀装置１に限らず、例えば、刈取部（図示せず）を備えていないハーベスタ（図示せず）に搭載する脱穀装置１においても同様に適用できる。
【図面の簡単な説明】
【００３６】
【図１】脱穀装置の縦断側面図
【図２】脱穀装置後端部の縦断側面図
【図３】遮蔽部材の構造を示す縦断背面図
【図４】排塵調節板の構造を示す縦断背面図
【符号の説明】
【００３７】
１        脱穀装置
４        排塵ファン
１０      唐箕
２０      遮蔽部材
２３      排塵口
Ａ      扱室
Ｂ      揺動選別装置
Ｐ      軸心
【図１】
2008017708.tif 000003
【図２】
2008017708.tif 000004
【図３】
2008017708.tif 000005
【図４】
2008017708.tif 000006